(57)【要約】【課題】  照明器具を上部位置に敷設した状態で薄形感を与え見栄えのよい屋外用照明器具を提供すること。【解決手段】  上下面を開口し下面を光照射窓７とし、内部に光源４と前記光源４の光を光照射窓７方向へ反射する側面反射板３ａおよび上面反射板３ｂとからなる反射板を収納してなる照明器具本体１と、前記照明器具本体１の上面の開口を覆う蓋体２とからなる屋外用照明器具であって、前記蓋体の前記反射板と対抗する中央部を上方に突出させ、反射板の上部を突出部２ａ内に収納するとともに、光照射窓７を下方に突出させて照明器具の周囲端部の厚みを薄くする。【選択図】  図１
2005317355.tif 000002
【特許請求の範囲】
【請求項１】
内部に光源と前記光源の光を反射する反射板を収納してなる、上面を開口し下面に窓孔を形成してなる照明器具本体を有し、前記窓孔を光透過板で覆うとともに、前記上面の開口を蓋体で覆い、前記光源の光および反射板の反射光を前記光透過板を介して放出してなる屋外用照明器具において、前記蓋体の前記反射板と対抗する中央部を周囲部よりも上方に突出させてなることを特徴とする屋外用照明器具。
【請求項２】
窓孔の周縁部に下方に突出する保持部を設け、前記保持部に光透過板の周縁部を載置保持してなることを特徴とする請求項１に記載の屋外用照明器具。
【請求項３】
反射板の光源と対向する上面に通気孔を形成してなることを特徴とする請求項１又は請求項２に記載の屋外用照明器具。
【発明の詳細な説明】
【技術分野】
【０００１】
本発明は、屋外用照明器具に関するものである。
【背景技術】
【０００２】
上下面を開口した照明器具本体の下面の開口を、光を透過するガラスなどの光透過板で覆い、上面の開口を雨滴などの浸入を防止する蓋で覆って形成した円盤状の屋外用照明器具は周知である。このような照明器具では、照明器具本体の内部に、その中央部に放電灯などの光源を配置し、その光源の周りに光源の光を窓方向へ反射する反射板を配置して構成されている。
【０００３】
ところで、光源は光と同時に熱を発生し、この熱による光透過板への悪影響を避けるために光源と光透過板の間に所定の空間が設けられている。そのために光源の周りに配置する反射板の背が高く、その高さを確保した状態で照明器具を円盤状に形成している。そのために照明器具が全体的に分厚く、上部位置に敷設した状態で重量感を与え見栄えが悪いという欠点がある。
【発明の開示】
【発明が解決しようとする課題】
【０００４】
本発明が解決しようとする課題は、照明器具を上部位置に敷設した状態で薄形感を与え見栄えのよい屋外用照明器具を提供し、斯かる欠点を解消する点にある。
【課題を解決するための手段】
【０００５】
本発明は、内部に光源と前記光源の光を反射する反射板を収納してなる、上面を開口し下面に窓孔を形成してなる照明器具本体を有し、前記窓孔を光透過板で覆うとともに、前記上面の開口を蓋体で覆い、前記光源の光および反射板の反射光を前記光透過板を介して放出してなる屋外用照明器具において、前記蓋体の前記反射板と対抗する中央部を周囲部よりも上方に突出させてなることを最も主要な特徴とする。
【発明の効果】
【０００６】
本発明に係る屋外用照明器具では、反射板と対抗する中央部を周囲部よりも上方に突出させているので、突出する空間内部に伸びて反射板を配置することができ、光源とガラスなどの光透過体との間の空間を確保することができるとともに、照明器具を上部位置に敷設したときその突出は視認されず、照明器具の薄い周囲端部が視認される。したがって、上部位置に敷設した状態で薄形感を与え見栄えのよい屋外用照明器具となる。また、窓孔の周縁部に下方に突出する保持部を設け、その保持部に光透過体の周縁部を載置保持すると、光源と光透過体の間の空間が大きく、さらには、反射板の光源と対向する上面に通気孔を形成すると、光源により加熱された空気は通気孔を経て排出されるので、蓋体内面に接近して反射板を配置することができ、照明器具全体の薄型化を図ることができる。
【発明を実施するための最良の形態】
【０００７】
照明器具を上部位置に敷設した状態で薄形感を与え見栄えのよい屋外用照明器具を提供する目的を、照明器具本体の上面の開口を覆う蓋体の、反射板と対抗する中央部を周囲部よりも上方に突出させ、その突出部内に反射板の上端部を収納すること、光放射窓を形成する光透過体を周囲部より下方に突出させることにより実現した。
【実施例】
【０００８】
図１は本発明の実施例に係る屋外用照明器具の構成を示す構成図で（ａ）は内部構造を示す平面図、（ｂ）は側面図、図２は図１に示す照明器具の組立て斜視図である。図において、１は照明器具本体、２は照明器具の蓋体、３ａおよび３ｂは反射板、４は縦長の光源、５はソケット、６はソケットホルダー、７はガラスなどの光透過板である。照明器具本体１は上下面を開口した筒状に形成され、下端には内側に折り曲げた支持部１ａが形成され、支持部１ａの中央部に窓孔が形成されている。支持部１ａの窓孔の周縁には下方に突出する保持部１ｂが設けられ、この保持部１ｂの突出部に窓孔を覆う光透過板７が載置保持され、光透過板７は支持部１ａの平面より下方に突出している。また、照明器具本体１の周囲側面の適宜箇所に、外側下方に向けて傾斜する傾斜面１ｃを形成し、その傾斜面１ｃに蓋体２を固定するネジ孔１ｄが形成されている。なお、傾斜面１ｃはボルトを伝って浸入する水滴などを照明器具本体１内へ導入しないためである。
【０００９】
光源４は照明器具本体１の内部中央部位置に配置され、ソケット５に取り付けて固定されている。そのソケット５は照明器具本体１の支持部１ａに固定したソケットホルダー６に固定されている。光源４の光を光透過板７方向へ反射する反射板は、照明器具本体１の側壁に沿って光源４を取り囲み、照明器具本体１の支持部１ａに固定した側面反射板３ａと光源４を取り囲む側面反射板３ａの上面の開口部を塞ぎ、側面反射板３ａの端部に固定した上面反射板３ｂとにより構成され、上面反射板３ｂは、その中央部を光源４に近づく凹状に形成するとともに、光源４と対向する位置に光源４に沿う通気長孔３ｄが形成されている。そして、側部反射板３ａの上端部は照明器具本体１の上面開口より上方に突出している。
【００１０】
照明器具の蓋体２は、照明器具本体１内に配置した上面反射板３ｂとほぼ対向する中央部を、照明器具本体１にネジ締め固定する周囲端部２ｂよりも上方に突出する突出部２ａが形成されている。この蓋体２で照明器具本体１の上面を覆うとき、照明器具本体１からはみ出している反射板３ａおよび反射板３ｂの上端部分を突出部２ａ内に配置し、周囲端部２ｂを照明器具本体１の上端に当接して固定する。
【００１１】
このように構成した屋外用照明器具は、図２に示すように支柱８の先端部に固定したアーム９の先端に、光透過板７で覆った窓を下方にして照明器具本体１を固定して所定の上部位置に敷設される。このときソケット５に接続した電線１０は照明器具本体１の側壁およびアーム９内を経て引き出され、その端部は、安定器などを備える電源に接続した支柱８内を経て引き出された電線１１の端部と絶縁カバーを有する圧着スリーブ１２などにより接続される。
【００１２】
以上の実施例では、反射板を、光源４を取り囲む側面反射板３ａと側面反射板３ａの端部に固定した上面反射板３ｂとにより構成し、上面反射板３ｂに、その中央部を光源４に近づく凹状に形成し、横広がりの配光としているが、図３に示すように、上面反射板３ｂと一つの側面反射板３ａを一体化し、その一つの側面反射板３ａを緩やかに傾斜させて前広がりの配光としてもよい。この場合、上面反射板３ｂに光源に近づく凹状部を形成する必要はなく、通気長孔３ｃを設ければよい。なお、通気孔を除く反射板自体の構成は配光などを考慮して適宜に設定されるもので、図２や図３に示す構成に限られるものではない。いずれの反射板においても光源と対向する最上面位置に通気孔を形成することにより光源と上面反射板との距離、上面反射板と蓋体内面の距離が短縮でき、蓋体の突出量を少なくし照明器具全体の薄型化が図れる。
【図面の簡単な説明】
【００１３】
【図１】本発明の実施例に係る屋外用照明器具の構成示す構成図で（ａ）は内部構造を示す平面図、（ｂ）は断面図である。
【図２】図１に示す屋外用照明器具の組み立て斜視図である。
【図３】本発明の実施例に係る屋外用照明器具の反射板の他の例を示す斜視図である。
【符号の説明】
【００１４】
１  照明器具本体
２  照明器具の蓋体
２ａ  突出部
３ａ  側面反射板
３ｂ  上面反射板
３ｃ  長孔
４  光源
５  ソケット
６  ソケットホルダー
７  窓ガラス（光照射窓）
８  支柱
９  アーム
１０、１１  電線
【図１】
2005317355.tif 000003
【図２】
2005317355.tif 000004
【図３】
2005317355.tif 000005